(57)【要約】【課題】メールで配信されるクーポンについて予め確認する必要があった。【解決手段】顧客端末とネットワークで接続され、ネットワークを介した店舗内商品の販売方式であるネットスーパーで販売する商品の商品情報を管理するネットスーパーサーバにおいて、商品に対応してクーポンが使用可能か否かを示すクーポン情報を記憶するクーポン記憶部と、販売する商品の商品情報を顧客端末の表示部に表示させるための商品データを顧客端末に送信する商品データ送信手段と、顧客端末からの要請に応じてクーポン情報に基づいて作成したクーポン使用による商品の購入が可能な商品情報を表示させるためのクーポン商品データを顧客端末に送信するクーポン商品データ送信手段と、顧客端末においてクーポン商品データに基づいて購入された商品に対してクーポンを使用したデータ処理を実行するクーポンデータ処理手段と、を備える。【選択図】図５
2014048967.tif 000002
【特許請求の範囲】
【請求項１】
顧客端末とネットワークで接続され、前記ネットワークを介した店舗内商品の販売方式であるネットスーパーで販売する商品の商品情報を管理するネットスーパーサーバにおいて、
前記商品に対応してクーポンが使用可能か否かを示すクーポン情報を記憶するクーポン記憶部と、
販売する商品の商品情報を前記顧客端末の表示部に表示させるための商品データを前記顧客端末に送信する商品データ送信手段と、
前記顧客端末からの要請に応じて前記クーポン情報に基づいて作成したクーポン使用による商品の購入が可能な商品情報を表示させるためのクーポン商品データを前記顧客端末に送信するクーポン商品データ送信手段と、
前記顧客端末において前記クーポン商品データに基づいて購入された商品に対して前記クーポンを使用したデータ処理を実行するクーポンデータ処理手段と、
を備えたネットスーパーサーバ。
【請求項２】
前記クーポン情報はクーポンが使用可能であるか否かを示すフラグ情報であり、前記クーポン商品データ送信手段は、クーポンが使用可能であることを示す前記フラグ情報に基づいて前記クーポン商品データを作成する
請求項１に記載のネットスーパーサーバ。
【請求項３】
前記クーポン情報は、クーポンの使用期間データを有しており、前記クーポン商品データ送信手段は、前記クーポンの使用期間データに基づいて前記クーポン商品データを送信する
請求項１または２に記載のネットスーパーサーバ。
【請求項４】
表示部を備え、前記クーポンの使用期間を前記表示部に表示させて設定可能な、
請求項３に記載のネットスーパーサーバ。
【請求項５】
前記クーポンデータ処理手段は、前記クーポンを使用せずに購入された商品に対して前記クーポンを使用しないデータ処理を実行する、
請求項１ないし４のいずれかに記載のネットスーパーサーバ。
【請求項６】
顧客端末とネットワークで接続され、前記ネットワークを介した店舗内商品の販売方式であるネットスーパーで販売する商品の商品情報を管理する機能を備え、前記商品に対応してクーポンが使用可能か否かを示すクーポン情報を記憶するクーポン記憶部を備えたコンピュータに、
販売する商品の商品情報を前記顧客端末の表示部に表示させるための商品データを前記顧客端末に送信する商品データ送信手段と、
前記顧客端末からの要請に応じて前記クーポン情報に基づいて作成したクーポン使用による商品の購入が可能な商品情報を表示させるためのクーポン商品データを前記顧客端末に送信するクーポン商品データ送信手段と、
前記顧客端末において前記クーポン商品データに基づいて購入された商品に対して前記クーポンを使用したデータ処理を実行するクーポンデータ処理手段と、
を実行させるプログラム。
【発明の詳細な説明】
【技術分野】
【０００１】
本発明の実施の形態は、ネットスーパーサーバおよびプログラムに関する。
【背景技術】
【０００２】
近年のネットワークの普及により、インターネットを介して商品の販売を行う販売方式（ＥＣ：Electronic  Commerce）が盛んに行われている。また、スーパーマーケット等の店舗においても、店舗内で販売している商品をインターネットを介して販売する、所謂ネットスーパーと呼ばれる販売方式が行われている。ネットスーパーでは、インターネットを通じて顧客から商品購入の注文を受け付けると、当該店舗では該当する商品を店舗内から収集して各顧客の自宅に配達されるよう運用されている。
【０００３】
この顧客がネットスーパーで買い物をするには、一般的には自宅にあるＰＣ（Personal  Computer）や携帯電話等の顧客端末からインターネットを介してネットスーパーのサイトにアクセスして顧客自身で商品の注文をし、店舗は注文された商品を即日あるいは後日自宅に配達するというシステムとなっている。
【０００４】
一方店舗側では、ネットスーパーでの販売促進のために、店舗が企画したネットスーパーで販売する商品に使用できるクーポン券をメールで顧客に配信している。顧客は、届いたメールを見て、クーポンが適用になる商品を把握して商品を購入する。
【発明の概要】
【発明が解決しようとする課題】
【０００５】
しかしながら、顧客は、ネットスーパーでクーポン券を使用するためには、どのようなクーポン券がメールで配信されたかを顧客自身で把握しておく必要があり、顧客の負担となっていた。
【課題を解決するための手段】
【０００６】
実施の形態のネットスーパーサーバは、顧客端末とネットワークで接続され、前記ネットワークを介した店舗内商品の販売方式であるネットスーパーで販売する商品の商品情報を管理するネットスーパーサーバにおいて、前記商品に対応してクーポンが使用可能か否かを示すクーポン情報を記憶するクーポン記憶部と、販売する商品の商品情報を前記顧客端末の表示部に表示させるための商品データを前記顧客端末に送信する商品データ送信手段と、前記顧客端末からの要請に応じて前記クーポン情報に基づいて作成したクーポン使用による商品の購入が可能な商品情報を表示させるためのクーポン商品データを前記顧客端末に送信するクーポン商品データ送信手段と、前記顧客端末において前記クーポン商品データに基づいて購入された商品に対して前記クーポンを使用したデータ処理を実行するクーポンデータ処理手段と、を備える。
【０００７】
また、実施の形態のプログラムは、顧客端末とネットワークで接続され、前記ネットワークを介した店舗内商品の販売方式であるネットスーパーで販売する商品の商品情報を管理する機能を備え、前記商品に対応してクーポンが使用可能か否かを示すクーポン情報を記憶するクーポン記憶部を備えたコンピュータに、販売する商品の商品情報を前記顧客端末の表示部に表示させるための商品データを前記顧客端末に送信する商品データ送信手段と、前記顧客端末からの要請に応じて前記クーポン情報に基づいて作成したクーポン使用による商品の購入が可能な商品情報を表示させるためのクーポン商品データを前記顧客端末に送信するクーポン商品データ送信手段と、前記顧客端末において前記クーポン商品データに基づいて購入された商品に対して前記クーポンを使用したデータ処理を実行するクーポンデータ処理手段と、を実行させる。
【図面の簡単な説明】
【０００８】
【図１】図１は、本実施の形態のシステム全体を示す図である。
【図２】図２は、ネットスーパーサーバのブロック図である。
【図３】図３は、ネットスーパーサーバの商品マスタを示す図である。
【図４】図４は、ネットスーパーサーバの画面の一例を示す図である。
【図５】図５は、ネットスーパーサーバの処理を示すフローチャートである。
【図６】図６は、ネットスーパーサーバにネットワークを介して接続された顧客端末の画面を示す図である。
【図７】図７は、ネットスーパーサーバにネットワークを介して接続された顧客端末の別の画面を示す図である。
【発明を実施するための形態】
【０００９】
以下、添付図面を参照して、実施の形態に係るネットスーパーサーバおよびプログラムを詳細に説明する。なお、以下に説明する実施の形態によりこの発明が限定されるものではない。
【００１０】
図１は、本実施の形態のシステム全体１を示す図である。図１において、店舗システム２と本部システム３とは専用回線４で接続されている。また、店舗システム２はネットワーク回線７を介してネットスーパーシステム５と接続されている。またネットスーパーシステム５は、ネットワーク回線７を介して顧客端末６（例えばＰＣ（パーソナルコンピュータ６ａ）や携帯電話６ｂ）と接続されている。
【００１１】
本部に設けられる本部システム３は、本部サーバ２０を備えている。本部サーバ２０は、顧客情報（例えば顧客の氏名、年齢、住所、性別、誕生日、購入履歴、累計ポイント数、顧客ランク、等）を顧客毎に管理する顧客マスタ（図示せず）や、各店舗毎の商品情報を記憶する商品マスタを有している。本部サーバ２０は、専用回線４を介して顧客マスタの顧客情報や商品マスタの商品情報を各店舗の店舗サーバ１１に送信する。
【００１２】
店舗に設けられた店舗システム２には、主に、店舗サーバ１１、複数台のＰＯＳ（Point  Of  Sales：販売時点管理）端末１２、ネットスーパー管理サーバ１４が設けられており、相互にＬＡＮ（Local  Area  Network）回線１５を介して接続されている。
ＰＯＳ端末１２は、店舗で販売された商品のデータ処理を実行し、店舗サーバ１１は、ＰＯＳ端末１２で処理したデータを収集し、本部サーバ２０からの情報やコマンドをＰＯＳ端末１２やネットスーパーサーバ１８に送信する。ネットスーパー管理サーバ１４は、ネットスーパーサーバ１８から送信された商品購入情報に基づき、ネットスーパーで購入された商品の取り揃え（ピッキング）や商品の箱詰め（パッキング）作業のデータ処理を実行する。商品の箱詰めは、ハンディターミナル１６で商品情報を入力して実行し、入力された商品情報はアンテナ１３を介してネットスーパー管理サーバ１４に送信される。ネットスーパー管理サーバ１４は、商品の箱詰めが終了すると、プリンタ１７に配送伝票のデータを出力し、プリンタ１７は配送伝票を印字する。
【００１３】
ネットスーパーシステム５は、ネットスーパーサーバ１８を備えている。ネットワークと接続するウェブサーバ、顧客マスタを含む顧客データベースや商品マスタを含む商品データベース等を記憶するデータベースサーバ、バッチ処理を実行するバッチサーバ、クーポンやポイント等を管理する管理サーバ、顧客に対してメールの配信を実行するメールサーバから構成されるネットスーパーサーバ１８は、各店舗の店舗システム２や顧客端末６とネットワークを介して通信可能に接続されている。ネットスーパーサーバ１８は、顧客の情報、ネットスーパーで販売する商品の情報等を記憶しており、顧客端末６からのアクセスがあると商品情報を顧客端末６に送信し、顧客端末６からの商品購入を受け付ける。受け付けた商品購入情報を店舗システム２のネットスーパー管理サーバ１４に送信する。
【００１４】
図２はネットスーパーサーバ１８のブロック図である。図２に示すように、ネットスーパーサーバ１８は、制御主体となるＣＰＵ（Central  Processing  Unit）、各種プログラムを記憶するＲＯＭ（Read  Only  Memory）、各種データを展開するＲＡＭ（Random  Access  Memory）、各種プログラムを記憶するＨＤＤ等のメモリ部等（いずれも図示せず）を備えており、ＣＰＵ、ＲＯＭ、ＲＡＭ、メモリ部は、互いにデータバス１１０を介して接続されている。ＣＰＵとＲＯＭとＲＡＭとメモリ部が、制御部１００を構成する。すなわち、制御部１００は、ＣＰＵがＲＯＭやメモリ部に記憶されＲＡＭに展開されたプログラムに従って動作することによって、後述する制御処理を実行する。
【００１５】
また、データバス１１０には、表示部１０６とクーポンの使用を宣言するクーポン使用宣言キー１１３を備えたキーボード１０８がコントローラ１０５を介して接続されている。また、データバス１１０には、ネットワークＩ／Ｆ（Interface）１０９が接続されている。このネットワークＩ／Ｆ１０９は、ネットスーパーサーバ１８からデータやコマンドを送信し、また顧客端末６やネットスーパー管理サーバ１４からのデータやコマンドを受信する。
【００１６】
また、ＲＡＭは商品の情報を記憶する商品マスタエリア１１１とクーポンの情報を記憶するクーポン記憶部１１２とを有する。制御部１００がＲＯＭやメモリ部に記憶された各種プログラムに従うことで商品データ送信手段１０１とクーポン商品データ送信手段１０２とクーポンデータ処理手段１０３を機能させる。クーポン記憶部１１２には、クーポンが使用可能であるかクーポンが使用不可であるかを示すクーポン情報が記憶されている。
【００１７】
商品データ送信手段１０１は、販売する商品の商品情報を顧客端末６の表示部に表示させるための商品データを顧客端末６に送信する機能を備えている。クーポン商品データ送信手段１０２は、顧客端末６からの要請に応じてクーポン情報に基づいて作成したクーポン使用による商品の購入が可能な商品情報を表示させるためのクーポン商品データを顧客端末６に送信する機能を備えている。クーポンデータ処理手段１０３は、顧客端末６においてクーポン商品データに基づいて購入された商品に対してクーポンを使用したデータ処理を実行する機能を備えている。
【００１８】
図３は、商品マスタエリア１１１に記憶された商品マスタの詳細図である。図３において、商品マスタは、商品コードを記憶する商品コードエリア２１、商品名を記憶する商品名エリア２２、商品の単価を記憶する単価エリア２３、商品に対して発行されるクーポンを特定するためのクーポンコードを記憶するクーポンコードエリア２４、商品の値引額を記憶する値引額エリア２５、クーポンの使用回数を記憶するクーポン使用回数エリア２６、クーポンの使用が宣言されているか否かのフラグを記憶するクーポン使用フラグエリア２７、を有する。クーポン使用フラグエリア２７に記憶されているフラグは、クーポンの使用が宣言されている場合はフラグの値が１であり、クーポンの使用が宣言されていない場合はフラグの値が０である。商品コードに対応して、商品名、単価、クーポンコード、値引額、クーポン使用回数、クーポン使用フラグがそれぞれ記憶されている。
【００１９】
図４は、クーポン記憶部１１２に記憶され、表示部１０６に表示されるクーポン一覧の画面の一例である。クーポン発行をする商品について、その商品コードをキーボード１０８から入力し、クーポン使用宣言キー１１３を操作することで、その商品に対するクーポンの使用が宣言され、入力された商品コードに対応する商品マスタに記憶されたフラグが１にセットされ、商品マスタに記憶された商品データがクーポン記憶部１１２に記憶され、表示部１０６に表示される。クーポン一覧には、クーポン使用の実施状況を示す実施状況エリア３１、クーポン使用の有効開始日を示す有効開始エリア３２、クーポン使用の有効終了日を示す有効終了日エリア３３、クーポン使用の宣言を取り消す操作エリア３４が表示され、これらのデータがクーポン記憶部１１２に記憶される。操作エリア３４において、表示された削除キー３５を操作することで当該クーポンの使用宣言は取り消され、当該商品コードのデータがクーポン記憶部１１２から削除される。有効開始エリア３２に記憶された有効開始日と有効終了日エリア３３に記憶された有効終了日とから、クーポンの使用期間を求め、使用期間内であれば実施状況エリア３１に●印を表示する。
【００２０】
図５は、ネットスーパーサーバ１８の制御処理を示すフローチャートである。図５において、制御部１００は、キーボード１０８から商品コードの入力があったかを判断する（ステップＳＰ１１）。商品コードの入力があったと判断した場合は（ステップＳＰ１１のＹｅｓ）、制御部１００は、次にクーポン使用宣言キー１１３が操作されたかを判断する（ステップＳＰ１２）。操作されたと判断した場合は（ステップＳＰ１２のＹｅｓ）、制御部１００は、入力された商品コードに対応する商品データを、商品マスタエリア１１１に記憶された商品マスタから読み出してクーポン記憶部１１２に記憶する（ステップＳＰ１３）。そしてクーポン使用フラグエリア２７に記憶された当該商品のクーポン使用フラグを１にセットする（ステップＳＰ１４）。なお、クーポン使用宣言キー１１３が操作されない場合は（ステップＳＰ１２のＮｏ）、他の処理を実行する（ステップＳＰ１７）。
【００２１】
制御部１００が、商品コードの入力ではないと判断した場合は（ステップＳＰ１１のＮｏ）、制御部１００は、削除キー３５が操作されたかを判断する（ステップＳＰ１５）。削除キー３５が操作されたと判断した場合は（ステップＳＰ１５のＹｅｓ）、制御部１００は、クーポン使用フラグエリア２７に記憶された当該商品のクーポン使用フラグを０にセットする（ステップＳＰ１６）。そして、クーポン記憶部１１２から削除キー３５が操作された商品データを削除して処理を終了する。
【００２２】
削除キー３５の操作でないと判断した場合は（ステップＳＰ１５のＮｏ）、制御部１００は、ネットワークＩ／Ｆ１０９が顧客端末６からログイン信号を受信したかを判断する（ステップＳＰ２１）。ログイン信号を受信したと判断した場合は（ステップＳＰ２１のＹｅｓ）、制御部１００はログインした顧客端末６の画面で表示される商品情報を送信する（ステップＳＰ２２）。この商品情報は、ネットスーパーで販売するすべての商品の情報であり、顧客端末６には、送信されたすべての商品情報が表示される。顧客は、顧客端末６に表示された画面を操作して商品を購入する。
【００２３】
図６に顧客端末６の画面に表示された商品情報の一例を示す。図６において、ネットスーパーで販売するすべての商品について、商品の画像４２、商品名４３、商品価格４４が表示される。また表示された各商品について、商品を購入するための「買物カゴに入れる」キー４５が表示されている。顧客は本画面の情報を見ながら商品を選択して購入する。商品を購入する場合は「買物カゴに入れる」キー４５を操作することで、商品購入データを作成する。そして、購入終了の宣言がされたときに、商品購入データはネットワーク回線７を介してネットスーパーサーバ１８に送信される。なお、この段階で顧客端末６の画面にはクーポンの使用の可否を示す表示はされず、クーポンが使用可能な商品であって、画面から「買物カゴに入れる」キー４５を操作して商品を購入しても、クーポンが適用にならない。
また、顧客端末６の画面には、クーポンを使用して買物をするための画面に移行するためのチェックインクーポンキー４１が表示されている。顧客がチェックインクーポンキー４１を操作することで、後述するクーポンを使用して商品を購入する画面が表示される。
【００２４】
ログイン信号の受信ではないと判断した場合は（ステップＳＰ２１のＮｏ）、制御部１００は、上記画面においてチェックインクーポンキー４１が操作されたことによる信号をネットワークＩ／Ｆ１０９が受信したかを判断する（ステップＳＰ２３）。チェックインクーポンキー４１が操作された信号を受信したと判断した場合は（ステップＳＰ２３のＹｅｓ）、制御部１００は、当該顧客端末６がログインしているかを判断し（ステップＳＰ２４）、ログインしていると判断した場合は（ステップＳＰ２４のＹｅｓ）、制御部１００は、商品マスタのクーポン使用フラグエリア２７に記憶されたクーポン使用フラグが１の商品を抽出し、かつクーポン記憶部１１２に記憶されている実施状況エリア３１に●が記憶されている商品を抽出して、抽出された商品についてクーポン商品データを作成する。（ステップＳＰ２５）。次に制御部１００は、作成したクーポン商品データをチェックインクーポンキー４１が操作された顧客端末６に送信する（ステップＳＰ２６）。すなわち、ステップＳＰ２６で送信されたクーポン商品データは、クーポンを使用して購入できる商品のデータのみを抽出したものである。
【００２５】
図７は、顧客端末６に送信され顧客端末６の表示部１０６に表示されたクーポン商品データの画面である。図７において、チェックインクーポンキー４１、抽出されたクーポンが使用可能な商品毎に、商品の画像４２、商品名４３、商品価格４４が表示される。また商品毎に、クーポンを使用せずに商品を購入するための「買物カゴに入れる」キー４５と、クーポンを使用して商品を購入するための「クーポンを使用する」キー４６が表示されている。クーポンを使用せずに商品を購入する場合は「買物カゴに入れる」キー４５を操作することで、商品購入データを作成する。そして、購入終了の宣言がされたときに、商品購入データはネットワーク回線７を介してネットスーパーサーバ１８に送信される。
【００２６】
一方、クーポンを使用して商品を購入する場合は、「クーポンを使用する」キー４６を操作することで、クーポン商品購入データを作成する。そして、購入終了の宣言がされたときに、クーポン商品購入データはネットワーク回線７を介してネットスーパーサーバ１８に送信される。
【００２７】
チェックインクーポンキー４１の操作ではない場合は（ステップＳＰ２３のＮｏ）、制御部１００は商品購入データを受信したかを判断する（ステップＳＰ２８）。ここでいう商品購入データとは、「買物カゴに入れる」キー４５の操作によって購入されたデータである。商品購入データを受信したと判断した場合は（ステップＳＰ２８のＹｅｓ）、当該顧客端末６がログインしているかを判断し（ステップＳＰ２９）、ログインしていると判断した場合は（ステップＳＰ２９のＹｅｓ）、受信した商品購入データに基づいてデータ処理を実行する（ステップＳＰ３０）。このデータ処理とは、購入された商品について、商品の収集や箱詰めを行うための情報をネットスーパー管理サーバ１４に提供するためのデータ処理のことである。そして商品マスタのデータを更新する（ステップＳＰ３１）。その際、購入された商品について、クーポン使用回数エリア２６のクーポン使用回数は更新しない。
【００２８】
商品購入データの受信ではないと判断した場合は（ステップＳＰ２８のＮｏ）、制御部１００は、クーポン商品購入データの受信であるかを判断する（ステップＳＰ３２）。クーポン商品購入データを受信したと判断した場合は（ステップＳＰ３２のＹｅｓ）、当該顧客端末６がログインしているかを判断し（ステップＳＰ３３）、ログインしていると判断した場合は（ステップＳＰ３３のＹｅｓ）、受信したクーポン商品購入データに基づいてデータ処理を実行する（ステップＳＰ３４）。このデータ処理とは、購入された商品について、商品の収集や箱詰めを行うための情報を提供することである。そして商品マスタのデータを更新する（ステップＳＰ３５）。その際、購入された商品について、クーポン使用回数エリア２６のクーポン使用回数も更新する。
【００２９】
このような構成の本実施の形態において、ネットスーパーサーバ１８は、顧客端末６に表示するための商品データを顧客端末６に送信し、顧客端末６からの要請に応じてクーポンを使用して商品を購入するクーポン商品データを顧客端末６に送信する。顧客は、通常の画面からクーポン画面に切り替えてクーポンが使用できる商品を表示させ、クーポン画面を見ながらクーポンが適用される商品を確認して、商品を購入する。
【００３０】
このような構成を備えた本実施の形態であれば、クーポン商品データを顧客端末６に送信し、このクーポン商品データに基づくクーポン商品の画面を見ながらクーポンが適用となる商品を確認し、クーポンを使用した商品購入ができるため、顧客は予めクーポンが適用される商品を確認しなくてもクーポンを適用した商品購入が可能となる。
【００３１】
また、本実施の形態では、クーポン使用が可能な商品であるかをフラグで判断しているため、容易にクーポン使用が可能な商品を抽出できる。また、クーポン対象商品の設定もクーポン使用宣言キー１１３の操作のみでフラグを１に設定できるため、簡単な操作で当該商品をクーポン使用とすることができる。
【００３２】
また、本実施の形態では、クーポンが使用可能な使用期間データを有しているため、クーポンの使用可能期間にクーポンの使用が可能となる。
【００３３】
また、本実施の形態では、クーポンの使用期間を画面から簡単に入力することができる。
【００３４】
また、本実施の形態では、クーポンが使用可能なクーポン画面において、クーポンを使用しての商品購入とクーポンを使用せずの商品購入とを選択できるため、必要な商品に対してクーポンを使用することができる。
【００３５】
なお、本実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【００３６】
例えば本実施の形態では、クーポン画面においてクーポンを使用せずに商品を購入することも可能となるようなクーポン画面データを送信したが、クーポン画面ではクーポンを使用した商品の購入のみが可能となるよなクーポン商品データを送信してもよい。
【００３７】
また、本実施の形態では、顧客端末６をＰＣ６ａや携帯電話６ｂとしたが、店舗の担当者が顧客の家を訪問して顧客から注文を受けるときに使用するタブレット端末等で構成された御用聞き端末等も含まれる。
【００３８】
また、本実施の形態では、クーポンの使用期間を設定して使用期間内にクーポンを使用可能としたが、使用期間は必ずしも設ける必要はない。
【００３９】
なお、本実施の形態のネットスーパーサーバで実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００４０】
また、本実施の形態のネットスーパーサーバで実行されるプログラムを、インターネット等のネットワークに接続されたコンピュータ上に格納し、ネットワーク経由でダウンロードさせることにより提供するように構成しても良い。また、本実施の形態のネットスーパーサーバで実行されるプログラムをインターネット等のネットワーク経由で提供または配布するように構成しても良い。
【００４１】
また、本実施の形態のネットスーパーサーバで実行されるプログラムを、ＲＯＭ等に予め組み込んで提供するように構成してもよい。
【符号の説明】
【００４２】
１００  制御部
１０１  購入画面データ送信手段
１０２  クーポン購入画面データ送信手段
１０３  クーポン購入データ処理手段
【先行技術文献】
【特許文献】
【００４３】
【特許文献１】特開２００２−５６２６４号公報
【図１】
2014048967.tif 000003
【図２】
2014048967.tif 000004
【図３】
2014048967.tif 000005
【図４】
2014048967.tif 000006
【図５】
2014048967.tif 000007
【図６】
2014048967.tif 000008
【図７】
2014048967.tif 000009